(57)【要約】【課題】商品（現物）を認識し、興味を持った者に対して、広告情報を提供することにより、極めて効率よく、しかも、低コストにて広告を行うことができる方法、及び、これを実現するための移動端末装置、並びに、そのためのコンピュータ・プログラムを提供する。【解決手段】本発明に係る広告媒介移動端末装置は、他の同種の端末装置との間で特定の情報を直接（中継局等を介在させることなく）送受信することができる無線通信装置、メモリ、ＣＰＵ、表示装置、入力操作部を備え、ユーザーによる携行使用が可能なように構成され、情報発信機能と、情報受信機能と、情報参照機能と、を有し、あるユーザーから他のユーザーへの商品広告情報の提供を媒介するように構成されていることを特徴としている。【選択図】なし【特許請求の範囲】
【請求項１】
他の同種の端末装置との間で特定の情報を直接送受信することができる無線通信装置、メモリ、ＣＰＵ、表示装置、入力操作部を備え、ユーザーによる携行使用が可能なように構成された移動端末装置であって、
前記無線通信装置によって発信者識別情報及び広告アクセス情報を連続的に発信する情報発信機能と、受信操作時において、設定された受信許容エリア内に存在している他のすべての移動端末装置から発信された発信者識別情報及び広告アクセス情報を受信する情報受信機能と、受信した広告アクセス情報に基づいてコンピュータネットワーク上の特定のウェブサイトにアクセスし、公開されている商品広告情報をダウンロードし、ブラウズする情報参照機能と、を有し、
あるユーザーから他のユーザーへの商品広告情報の提供を媒介するように構成されていることを特徴とする広告媒介移動端末装置。
【請求項２】
他の同種の端末装置との間で特定の情報を直接送受信することができる無線通信装置、メモリ、ＣＰＵ、表示装置、入力操作部を備え、ユーザーによる携行使用が可能なように構成された移動端末装置であって、
他の同種の端末装置から発信されたリクエスト信号を受け取った場合に、前記無線通信装置によって発信者識別情報及び広告アクセス情報を発信する情報発信機能と、受信操作時において、設定された受信許容エリア内に存在している他のすべての移動端末装置に対しリクエスト信号を発信し、それらの他のすべての移動端末装置から発信された発信者識別情報及び広告アクセス情報を受信する情報受信機能と、受信した広告アクセス情報に基づいてコンピュータネットワーク上の特定のウェブサイトにアクセスし、公開されている商品広告情報をダウンロードし、ブラウズする情報参照機能と、を有し、
あるユーザーから他のユーザーへの商品広告情報の提供を媒介するように構成されていることを特徴とする広告媒介移動端末装置。
【請求項３】
請求項１又は請求項２に記載の広告媒介移動端末装置において、情報発信機能と、情報受信機能と、情報参照機能とを実現させるためのプログラムであって、
ユーザーに対し、当該ユーザーを外観上の特徴から他人に識別させるための情報、即ち、発信者識別情報の入力、或いは、選択を促すメッセージを前記表示装置に表示するステップと、
ユーザーに対し、当該ユーザーが管理しているコンピュータネットワーク上のウェブサイトのアドレス情報、即ち、広告アクセス情報の入力、或いは、選択を促すメッセージを前記表示装置に表示するステップと、
前記情報発信機能がＯＮに設定されている場合、入力又は選択され、前記メモリの所定領域に保存された発信者識別情報及び広告アクセス情報を連続的に発信するステップと、
ユーザーが受信操作を行った際に、設定された受信許容エリア内に存在している他のすべての移動端末装置から発信されている発信者識別情報及び広告アクセス情報を受信するステップと、
受信した発信者識別情報の全部又は一部を表示装置において一覧表示するステップと、
表示装置において一覧表示した発信者識別情報の中からユーザーによって一の発信者が選択された場合に、当該選択された発信者の広告アクセス情報に基づいてコンピュータネットワーク上の特定のウェブサイトにアクセスし、公開されている商品広告情報をダウンロードし、前記表示装置よってブラウズするステップと、を前記広告媒介移動端末装置に実行させるためのプログラム。
【請求項４】
請求項１又は請求項２に記載の広告媒介移動端末装置において、情報発信機能と、情報受信機能と、情報参照機能とを実現させるためのプログラムであって、
ユーザーに対し、当該ユーザーを外観上の特徴から他人に識別させるための情報、即ち、発信者識別情報の入力、或いは、選択を促すメッセージを前記表示装置に表示するステップと、
ユーザーに対し、当該ユーザーが管理しているコンピュータネットワーク上のウェブサイトのアドレス情報、即ち、広告アクセス情報の入力、或いは、選択を促すメッセージを前記表示装置に表示するステップと、
前記情報発信機能がＯＮに設定されている状態で、他の同種の端末装置から発信されたリクエスト信号を受け取った場合に、前記メモリの所定領域に保存された発信者識別情報及び広告アクセス情報を発信するステップと、
受信操作時において、設定された受信許容エリア内に存在している他のすべての移動端末装置に対しリクエスト信号を発信し、それらの他のすべての移動端末装置から発信されている発信者識別情報及び広告アクセス情報を受信するステップと、
受信した発信者識別情報の全部又は一部を表示装置において一覧表示するステップと、
表示装置において一覧表示した発信者識別情報の中からユーザーによって一の発信者が選択された場合に、当該選択された発信者の広告アクセス情報に基づいてコンピュータネットワーク上の特定のウェブサイトにアクセスし、公開されている商品広告情報をダウンロードし、前記表示装置よってブラウズするステップと、を前記広告媒介移動端末装置に実行させるためのプログラム。
【請求項５】
請求項１又は請求項２に記載の広告媒介移動端末装置を利用して商品又はサービスに関する広告を行う方法であって、
ある広告媒介移動端末のユーザーが、ある販売店で商品を購入し、或いは、あるサービス業者からサービスの提供を受けた場合において、当該商品の購入時或いはサービスの提供時に、当該販売店或いはサービス業者から前記ユーザーに個別取引情報が提供されるステップと、
当該ユーザーから他のユーザーに、広告媒介移動端末を介して、当該商品或いはサービスに関する商品広告情報が提供される際、前記個別取引情報が、前記商品広告情報とともに提供されるステップと、
前記商品広告情報の提供を受けたユーザーが、当該商品広告情報の中で広告されている商品を購入し、又は、広告されているサービスの提供を受ける際、前記商品広告情報とともに提供された前記個別取引情報が、いずれかの販売店或いはサービス業者に提出された場合に、前記個別取引情報を処理することによって割り出された広告媒介移動端末ユーザーに対し、広告主から相応の報酬が支払われるステップと、が実行されることを特徴とする、広告媒介移動端末装置を利用した商品又はサービスの広告方法。
【発明の詳細な説明】
【技術分野】
【０００１】
本発明は、一般人が携行可能なサイズに構成された移動端末、当該移動端末用プログラム、及び、当該移動端末を用いて商品、サービスの広告情報を提供する方法に関し、特に、あるユーザーから他のユーザーへの商品広告情報の提供を媒介するように構成された広告媒介移動端末装置、そのプログラム、及び、当該広告媒介移動端末を用いて商品、サービスの広告情報を提供する方法に関する。
【背景技術】
【０００２】
従来から広く実施されている商品広告は、企業側（製造者・販売者側）から、特定の媒体（テレビ、ラジオ、新聞、雑誌、屋外看板広告、チラシ広告等）を通じて、不特定多数の一般消費者に向けて発せられる。
【０００３】
近年では、上記のような従来からの広告手法に加え、情報技術の飛躍的な進歩により、新しい媒体を利用した新しい広告手法が開発され、実践されるようになってきている。例えば、インターネット上の個人のウェブサイト（例えば、「ブログ」と呼ばれる、基本的に毎日更新される日記的なサイトなど）の一部に「バナー広告」を表示したり、或いは、個人のウェブサイトに企業サイトへのリンクを張り、閲覧者がそのリンクを経由して当該企業のサイトで商品購入等を行うと、リンク元サイトの運営管理者に報酬が支払われるという、「アフィリエイト」と呼ばれる広告手法などが実施されている。
【特許文献１】特開２００７−１９３６１３号公報
【発明の開示】
【発明が解決しようとする課題】
【０００４】
広告の費用効率を考えるとき、「ターゲット層への広告の到達率」が重要であると考えられるところ、従来の媒体を利用した広告手法は、一般消費者の嗜好、興味とは関係なく、企業側から一般消費者へ商品広告情報を一方的に提供するというものが多いため、「広告の到達率」については自ずから限界がある。
【０００５】
これに対し、インターネットのウェブサイト上で展開されている広告は、サイトへの来訪者の嗜好（客層）をある程度予測でき、把握し易いため、比較的高いレベルの「広告到達率」を期待することができる。
【０００６】
但し、いずれにしても、上述したような従来の広告手法による場合、一般消費者に対して最初に提供されるのは、当然のことながら「広告情報」であり、かかる「広告情報」を提供された一般消費者のうち、その広告の内容に興味を持った者だけが、「広告対象となっている商品」を認識することになる。つまり、上述のような従来の広告手法による場合、一般消費者が認識する対象物の順序は、第１に「広告」、第２に「商品」、ということになるが、提供された広告の内容に興味を持たない者も存在するため、「広告」を認識した一般消費者の数に比べると、「商品」まで認識した一般消費者の数は大幅に減ることになる。この減少分については、「広告費用が無駄になった」ようにも思えるが、かかる減少分は、広告を行う上で不可避的に発生するものである。
【０００７】
尚、このような広告手法とは反対に、一般消費者に対し、まず最初に「商品（現物）」を認識させ、次に「広告」を提供するという方法もある。街頭で試供品を配る方法や、繁華街にショウルームを開設するという方法である。これらの広告方法は、上述のような広告方法（最初に広告媒体を提供する方法）と比較して、広告媒体が無駄になりにくいというメリットがあるが、長期にわたって継続的に実施しようとすると、ショウルームの賃貸料や人件費が嵩むというデメリットもある。
【０００８】
本発明は、このような従来の広告方法とは異なり、「ある商品」のユーザー或いは「あるサービス」の提供を受けた者から、当該「商品（現物）」或いは「サービスの内容」を認識し、興味を持った者に対して、広告情報を提供することにより、極めて効率よく、しかも、低コストにて広告を行うことができる方法と、これを実現するための移動端末装置、並びに、当該装置用プログラムを提供することを目的とする。
【課題を解決するための手段】
【０００９】
本発明に係る広告媒介移動端末装置は、他の同種の端末装置との間で特定の情報を直接（中継局等を介在させることなく）送受信することができる無線通信装置、メモリ、ＣＰＵ、表示装置、入力操作部を備え、ユーザーによる携行使用が可能なように構成され、無線通信装置によって発信者識別情報及び広告アクセス情報を連続的に発信する情報発信機能と、受信操作時において、設定された受信許容エリア内に存在している他のすべての移動端末装置から発信された発信者識別情報及び広告アクセス情報を受信する情報受信機能と、受信した広告アクセス情報に基づいてコンピュータネットワーク上の特定のウェブサイトにアクセスし、公開されている商品広告情報をダウンロードし、ブラウズする情報参照機能と、を有し、あるユーザーから他のユーザーへの商品広告情報の提供を媒介するように構成されていることを特徴としている。
【００１０】
尚、情報発信機能は、発信者識別情報等を連続的に発信するのではなく、他の同種の端末装置から発信されたリクエスト信号を受け取った場合に、無線通信装置によってそれらの情報を発信するように構成することもできる。
【００１１】
また、本発明に係る広告媒介移動端末装置用プログラムは、上記の広告媒介移動端末装置において、情報発信機能と、情報受信機能と、情報参照機能とを実現させるためのプログラムであって、ユーザーに対し、当該ユーザーを外観上の特徴から他人に識別させるための情報（即ち、発信者識別情報）の入力、或いは、選択を促すメッセージを表示装置に表示するステップと、ユーザーに対し、当該ユーザーが管理しているコンピュータネットワーク上のウェブサイトのアドレス情報（即ち、広告アクセス情報）の入力、或いは、選択を促すメッセージを表示装置に表示するステップと、情報発信機能がＯＮに設定されている場合、入力又は選択され、メモリの所定領域に保存された発信者識別情報及び広告アクセス情報を連続的に発信し、或いは、他の同種の端末装置から発信されたリクエスト信号を受け取った場合に、メモリの所定領域に保存された発信者識別情報及び広告アクセス情報を発信するステップと、ユーザーが受信操作を行った際に、設定された受信許容エリア内に存在している他のすべての移動端末装置から発信されている発信者識別情報及び広告アクセス情報を受信するステップと、受信した発信者識別情報の全部又は一部を表示装置において一覧表示するステップと、表示装置において一覧表示した発信者識別情報の中からユーザーによって一の発信者が選択された場合に、当該選択された発信者の広告アクセス情報に基づいてコンピュータネットワーク上の特定のウェブサイトにアクセスし、公開されている商品広告情報をダウンロードし、表示装置よってブラウズするステップと、を広告媒介移動端末装置に実行させるものであることを特徴としている。
【００１２】
更に、本発明に係る広告媒介移動端末を利用した広告方法は、ある広告媒介移動端末のユーザー（発信者）が、ある販売店で商品を購入し、或いは、あるサービス業者からサービスの提供を受けた場合において、当該商品の購入時或いはサービスの提供時に、当該販売店或いはサービス業者から当該ユーザー（発信者）に個別取引情報が提供されるステップと、当該ユーザー（発信者）から広告媒介移動端末を介して、他のユーザー（受信者）に、当該商品或いはサービスに関する商品広告情報が提供される際、個別取引情報が、商品広告情報とともに提供されるステップと、商品広告情報の提供を受けたユーザー（受信者）が、当該商品広告情報の中で広告されている商品を購入し、又は、広告されているサービスの提供を受ける際、商品広告情報とともに提供された個別取引情報が、いずれかの販売店或いはサービス業者に提出された場合に、当該個別取引情報を処理することによって割り出された広告媒介移動端末ユーザー（発信者）に対し、広告主から相応の報酬が支払われるステップと、が実行されることを特徴としている。
【発明の効果】
【００１３】
また、本発明に係る広告媒介移動端末装置及びプログラムを利用することにより、上述のような広告方法を実現することができ、かかる広告方法を実施することにより、商品或いはサービスの広告を極めて効率よく行うことができる。
【００１４】
また、本発明に係る広告媒介移動端末のユーザーにおいては、簡単な作業を行うだけで、企業に代わって一般消費者に向けて広告を行うことができ、最終的に企業から報酬（広告収入）を得ることができる。
【発明を実施するための最良の形態】
【００１５】
以下、本発明を実施するための最良の形態について説明する。本発明に係る広告媒介移動端末は、一般的な携帯電話機と同程度の大きさの筐体内に、ＣＰＵ、メモリ、他の同種の端末装置との間で特定の情報を直接（中継局等を介在させることなく）送受信することができる無線通信装置、デジタルカメラ等を収容し、筐体表面に、表示装置（液晶）、入力操作部、各種入力端子等を装備してなるものであり、一般的な携帯電話機と同様に、各ユーザーによって携行され、使用されるものである。
【００１６】
本発明に係る広告媒介移動端末は、ユーザーの一人が、街で見かけた面識の無い他人が使用している「ある物」（例えば、その人が着ている服）或いは、その他人が受けたであろうサービス（例えば、その人の整髪を行った理容店が提供するサービス）に興味を持ち、その物或いはサービスに関する情報を得たいと考えた場合に、当該ユーザーと、その物等に関する情報を持っている可能性のある他の広告媒介移動端末ユーザーとの間において、その物等に関する広告情報の提供を媒介する、換言すれば、他の広告媒介移動端末ユーザーに、特定の商品或いはサービスを紹介したいと考えているユーザーＡと、当該商品等について情報を得たいと考えているユーザーＢとを結びつけ、ユーザーＡからユーザーＢへ広告情報が提供されるよう橋渡しをする、というものである。
【００１７】
そのような「広告情報の提供の媒介」を実現するため、この広告媒介移動端末は、「情報発信機能」、「情報受信機能」、「情報参照機能」という、３つの機能を具有している。これらのうち、「情報発信機能」は、広告媒介移動端末の各ユーザーが、不特定多数の他の広告媒介移動端末ユーザーに向けて特定の情報を発信し、その発信された情報を基に、特定の商品に関する広告情報を提供できる、という機能である。また、「情報受信機能」は、他の広告媒介移動端末から発信されている特定の情報を受信する機能であり、「情報参照機能」は、受信情報を基にコンピュータネットワーク（インターネット等）上の特定のウェブサイトにアクセスし、そこで公開されている商品広告情報をダウンロードし、画面上にブラウズさせることができる、という機能である。
【００１８】
本発明に係る広告媒介移動端末のユーザーは、広告媒介移動端末における「情報発信機能」を利用することにより、「情報の発信者」として、企業に代わって一般消費者に向けて広告を行うことができ、最終的に企業から報酬（広告収入）を得ることができる。一方、広告媒介移動端末における「情報受信機能」と「情報参照機能」を利用する場合には、「情報の受け手」として、他の広告媒介移動端末ユーザー（情報の発信者）から提供される広告情報を入手することにより、消費者として商品を購入しようとする際に、或いは、サービスの提供を受けようとする際に、商品の選択、サービス提供者の選択の一助とすることができるほか、割引サービス等の経済的利益の提供を受けることができる。
【００１９】
このように、本発明に係る広告媒介移動端末のユーザーは、利用しようとする「機能」によって、「情報の発信者」となったり、また、その反対に「情報の受け手（受信者）」ともなりうる。そこで、立場の混同を避けるべくここでは、「情報発信機能」を利用しようとしている広告媒介移動端末ユーザーを「発信者」と称することとし、「情報受信機能」と「情報参照機能」を利用しようとしているユーザーを「受信者」と称することとする。以下、本発明の広告媒介移動端末における上記３つの主要な機能ついて、それぞれ具体的に説明する。
【００２０】
「情報発信機能」は、発信者が、不特定多数の他の広告媒介移動端末ユーザー（受信者）に向けて特定の情報を発信することができる、という機能であり、その発信された情報を基に、発信者は、他のユーザー（受信者）に対し、自らが使用する商品等の広告（の代理）を行う（その商品を市場へ供給する企業等になり代わって広告情報を提供する）ことができ、その対価として当該企業から広告収入を受け取ることができる。
【００２１】
より具体的には、発信者は、自分の広告媒介移動端末から、他のユーザー（受信者）に対して「発信者識別情報」及び「広告アクセス情報」を発信する。これらのうち、「発信者識別情報」とは、発信者を、外観上の特徴から他人に識別させるための情報であり、当該発信者の顔、その日の服装、その他の特徴的な部分を撮影してなる画像データ、或いは、特徴的な事項（例えば、性別、年齢、ルックスが似ている芸能人或いは有名人の氏名）を記述したテキストデータによって構成される。
【００２２】
広告媒介移動端末から発信される「広告アクセス情報」とは、発信者が管理しているコンピュータネットワーク（インターネット等）上のウェブサイト（専用広告ページ）のアドレス（ＵＲＬ）のテキストデータである。
【００２３】
「発信者識別情報」及び「広告アクセス情報」は、広告媒介移動端末に装備されている無線通信装置によって、特定の周波数帯の電波（或いは赤外線等）に載せて発信される。この機能による情報発信は、当該広告媒介移動端末において当該機能が「ＯＮ」に設定されている限り連続的、継続的に実行され、「ＯＦＦ」に切り替えられた場合には、停止される。
【００２４】
尚、情報発信機能が「ＯＮ」に設定されている限り情報発信が連続的、継続的に実行されるのではなく、他のユーザーからの要求に応じて、その都度情報発信を行うような構成（例えば、情報発信機能が「ＯＮ」に設定されている場合、待機状態〔他の広告媒介移動端末から発信されるリクエスト信号の受信を待っている状態〕となり、他の広告媒介移動端末から発信されたリクエスト信号を受信した場合に、「発信者識別情報」及び「広告アクセス情報」を既定回数〔例えば、３秒間のインターバルを置いて３回〕、周囲へ発信するようにし、情報発信機能が「ＯＦＦ」に設定されている場合には、非待機状態となり、他の広告媒介移動端末から発信されたリクエスト信号を受信せず、かつ、「発信者識別情報」及び「広告アクセス情報」を発信しないような構成）としてもよい。
【００２５】
「情報受信機能」は、広告媒介移動端末において、他の広告媒介移動端末ユーザー（発信者）から発信されている「発信者識別情報」及び「広告アクセス情報」を受信する機能である。情報の受信は、受信者が、広告媒介移動端末に装備されている入力操作部（ボタン、或いは、液晶表示装置の画面上のタッチパネル）を操作することにより、その都度実行される。
【００２６】
受信者によって受信操作が行われると、広告媒介移動端末は、当該受信者の周辺（受信許容エリア内）に存在している他の広告媒介移動端末から発信されている「発信者識別情報」及び「広告アクセス情報」を受信する。情報発信中の広告媒介移動端末が複数存在している場合には、そのすべての「発信者識別情報」及び「広告アクセス情報」を受信する。受信が完了すると、受信者の広告媒介移動端末の画面上に、受信された「発信者識別情報」の一部（例えば、発信者の顔の画像データ）が一覧表示される。
【００２７】
尚、受信許容エリアの広さについては、受信者の要求に応じて適宜設定を変更できるようになっている。例えば、受信許容エリアが「１０ｍ」と設定されている場合、受信者の広告媒介移動端末から半径１０ｍの範囲に存在する他の広告媒介移動端末から発信されている情報を受信することができ、これを「５ｍ」に変更した場合、半径５ｍの範囲に存在する他の広告媒介移動端末から発信されている情報を受信するようになる。
【００２８】
「情報参照機能」は、コンピュータネットワークに接続することができ、特定のウェブサイト（選択された発信者が管理する専用広告ページ）において公開されている「商品広告情報」を受信者の広告媒介移動端末にダウンロードし、画面上にブラウズすることができ、ダウンロードされた「商品広告情報」を受信者において参照できる、という機能である。
【００２９】
上述の通り、他の広告媒介移動端末から発信されている「発信者識別情報」及び「広告アクセス情報」を受信すると、端末の画面上に、受信された「発信者識別情報」の一部が一覧表示される。そして、受信者がそれらの中から一つを選び、入力操作部を操作して、「参照」を実行すると、選択された「発信者識別情報」とともに受信された「広告アクセス情報」がメモリの特定領域に読み込まれ、その中に含まれているＵＲＬ情報に基づいて、選択された発信者が管理しているコンピュータネットワーク上のウェブサイトのページが、受信者の広告媒介移動端末の画面上に表示される。
【００３０】
当該受信者は、そのウェブサイトにおいて公開されている「商品広告情報」を広告媒介移動端末にダウンロードすることができる。尚、「商品広告情報」は、発信者が他のユーザーに対して紹介したい商品（特に、情報発信時において発信者が身に付けている衣料品、靴類、眼鏡、サングラス、アクセサリー、バッグ）又はサービス（美容院におけるサービス、理髪店におけるサービス、ネイルサロンにおけるサービス等）に関する情報、例えば、その商品又はサービスについての個人的な感想やコメント、その商品のメーカー、販売者、取扱店舗、又は、そのサービスの提供者の名称、住所、電話番号、メールアドレス、その商品のメーカー、販売者、取扱店舗、又は、そのサービスの提供者が運営するウェブサイトのＵＲＬ、その商品又はサービスの正式な広告情報を入手するために利用できる情報（当該広告が掲載されているウェブサイトのＵＲＬ）等によって構成される。また、ここに言う「商品」には、有体動産のみならず、著作物を保存した電子データ（テキストデータ、画像データ、音楽ファイル、ゲームプログラム等）や、不動産なども含む。
【００３１】
次に、広告媒介移動端末のユーザーが、発信者として、自分の広告媒介移動端末から、不特定多数の他の広告媒介移動端末ユーザーに対して「発信者識別情報」及び「広告アクセス情報」を発信することにより、自ら使用している商品又は提供を受けたサービスの広告の代理を行う（不特定多数の他のユーザーに対して「商品広告情報」を提供する）までの一連の手順の具体例について説明する。
【００３２】
まず、発信者たるユーザーは、他のユーザーに対して提供すべき「商品広告情報」を準備し、自ら管理しているコンピュータネットワーク上のウェブサイト（専用広告ページ）にアップロードする。例えば、現在所有している中で最も気に入っている靴があり、その靴を他のユーザーに対しても積極的に勧めたいと考えているユーザーの場合、自分の専用広告ページに、その靴の画像データ、その靴についての個人的な感想やコメント、その靴のメーカー、販売者、或いは、取扱店舗の名称、住所、電話番号、メールアドレス、その靴のメーカー、販売者、或いは、取扱店舗が運営するウェブサイトのＵＲＬ、その商品の正式な広告情報を入手するために利用できる広告アクセス情報（当該広告が掲載されているウェブサイトのＵＲＬ）等の情報をアップロードする。尚、掲載内容に変更、追加が生じたときは、逐次更新作業を行い、常に最新の情報が掲載されるようにしておく。
【００３３】
そして、広告媒介移動端末に「発信者識別情報」を入力し、保存する。例えば、内蔵デジタルカメラによって、発信者の顔、上半身、或いは、全身を撮影し、その画像データを保存する。または、性別、年齢、その日の髪型（例えば、七三分け、スポーツ刈りなど）、その日の服装の特徴（例えば、和装、全身ピンク色など）、その日の所持アイテム（例えば、杖、サングラスなど）、ルックスが似ている有名人の氏名等のテキストデータを入力操作部から入力し、保存する。
【００３４】
この「発信者識別情報」の入力作業は、広告媒介移動端末内にインストールされている専用のコンピュータ・プログラムを立ち上げ、「設定ルーチン」を実行することにより行われる。より具体的には、プログラムを立ち上げると、表示装置の画面上に「初期メニュー」が表示され、その中の「設定」を選択して実行すると、ユーザーに対し、当該ユーザーを外観上の特徴から他人に識別させるための発信者識別情報の入力を促すメッセージが表示装置の画面上に表示される。
【００３５】
尚ここでは、新規に入力された情報のみが発信者識別情報として利用できるという訳ではなく、既にメモリに保存されている情報を発信者識別情報として利用することもでき、発信者識別情報として利用することができる情報がメモリに保存されている場合には、発信者識別情報の新規入力を促すメッセージだけではなく、既存情報の中から発信者識別情報として利用すべき情報を選択するよう促すメッセージが、併せて表示装置に表示される。
【００３６】
また、「広告アクセス情報」として、発信者が「商品広告情報」をアップロードした、発信者の管理する専用広告ページのアドレス（ＵＲＬ）のテキストデータを広告媒介移動端末に入力し、保存する。この「広告アクセス情報」の入力作業も、広告媒介移動端末内にインストールされている専用のコンピュータ・プログラムの「設定ルーチン」を実行することにより行われる。具体的には、「初期メニュー」の中の「設定」を選択して実行すると、ユーザーに対し、広告アクセス情報の入力、或いは、選択を促すメッセージが表示装置の画面上に表示される。
【００３７】
上記の準備が完了したら、広告媒介移動端末の入力操作部を操作して、情報発信機能を「ＯＮ」に設定する。そうすると、広告媒介移動端末に保存されている「発信者識別情報」及び「広告アクセス情報」が、広告媒介移動端末に装備されている無線通信装置により、特定の周波数帯の電波に載せて連続的、継続的に発信され、或いは、他の広告媒介移動端末から発信されたリクエスト信号を受け取った場合に、「発信者識別情報」及び「広告アクセス情報」が無線通信装置により発信される。
【００３８】
この発信者が、他のユーザーに紹介しようとしている靴を履いて、街中を歩いている際、その近くに居合わせた他のユーザー（発信者とは面識がない）が、その靴を見て興味を持ち、その靴に関する情報を得たいと考えた場合、当該他のユーザー（受信者）は、その靴を履いている人（ターゲット発信者）が、設定された受信許容エリア内（例えば、１０ｍ以内）に居ることを確認した上で、広告媒介移動端末に装備されている入力操作部を操作することにより、情報の受信を行う。
【００３９】
受信操作が行われると、その受信者の広告媒介移動端末は、受信許容エリア内に存在している他の広告媒介移動端末から発信されている「発信者識別情報」及び「広告アクセス情報」をすべて受信する。受信が完了すると、受信者の広告媒介移動端末の画面上に、受信された「発信者識別情報」の一部（例えば、発信者の顔の画像データ）又は全部が一覧表示される。
【００４０】
受信者は、画面上に表示されている「発信者識別情報」の一覧から、ターゲット発信者の特徴と一致する人を探し出し、入力操作部を操作してターゲット発信者と思われる人を選択する。例えば、「発信者識別情報」の一覧に、発信者の顔を撮影した画像データが９つ表示された場合（つまり、受信許容エリア内に９人の発信者が居合わせた場合）において、各画像と、ターゲット発信者の顔の実像とを見比べて、ターゲット発信者の顔の実際の撮像であろうと認められる画像データを選択する。
【００４１】
ターゲット発信者の画像データを選択したら、入力操作部を操作して「参照」を実行する。そうすると、選択されたターゲット発信者の「発信者識別情報」とともに受信された「広告アクセス情報」が広告媒介移動端末内のメモリの特定領域に読み込まれ、その中に含まれているＵＲＬ情報に基づいて、選択された発信者が管理しているコンピュータネットワーク上のウェブサイト（専用広告ページ）が、受信者の広告媒介移動端末の画面上に表示され、このページにて公開されている「商品広告情報」が、受信者の広告媒介移動端末にダウンロードされ、ブラウズされる。
【００４２】
このようにして、発信者の広告媒介移動端末から発せられた「発信者識別情報」及び「広告アクセス情報」が受信者の広告媒介移動端末によって受信され、それらの受信情報に基づいて、発信者の専用広告ページから受信者の広告媒介移動端末に「商品広告情報」が提供されることにより、受信者は、その商品を購入するか否かを決定する際に参考となる情報と、購入するために必要となる情報を入手することができる。
【００４３】
更に、受信者は、発信者から提供された「商品広告情報」を参照した結果、当該商品の購入を決定した場合、割引サービス等の経済的利益の提供を受けることができる。より具体的には、発信者から提供される「商品広告情報」に、電子クーポン情報が含まれており、当該商品を購入する際、当該電子クーポンを販売店（一般的な店舗のみならず、ウェブサイト上の仮想店舗も含む）へ提出することにより、受信者は割引サービス、その他のサービスを受けることができる。
【００４４】
また、受信者が「商品広告情報」を参照した結果、当該商品を購入するに至った場合、その「商品広告情報」を提供した発信者は、企業（当該商品のメーカー或いは販売店）から報酬（広告収入）を受け取ることができる。この点について具体的に説明すると、発信者が、他の広告媒介移動端末ユーザーに紹介しようとする商品を購入する際、販売店から当該発信者に対し、「個別取引情報」（販売商品、販売日時、販売店舗、購入者（発信者）等を確認できる情報）が提供される。発信者は、他の広告媒介移動端末ユーザー（受信者）に提供する「商品広告情報」の中に、この「個別取引情報」を含めておく。
【００４５】
受信者が、その「商品広告情報」を参照した結果としてその商品を購入しようとする際、販売店に提出される「商品広告情報」には、「個別取引情報」が含まれているため、販売店は、提出されたその「個別取引情報」から、誰が当該受信者に「商品広告情報」を提供したのかを割り出し、当該「商品広告情報」を提供した発信者に対し報酬を支払う。
【００４６】
尚、広告媒介移動端末間で送受信される「広告アクセス情報」には、「プレイング情報」が含まれるように構成することもできる。ここに言う「プレイング情報」とは、発信者たる広告媒介移動端末のユーザーがその端末に装備されている音楽再生機能によって再生中の楽曲に関する情報（タイトル、アルバム名、アーティスト名、レーベル名、その楽曲の正式な広告を提供しているウェブサイトのＵＲＬ、その楽曲のサンプルデータを配布しているウェブサイトのＵＲＬ、その楽曲の販売（有償ダウンロードサービス）を行っているウェブサイトのＵＲＬ、その楽曲を購入する際に使用できる電子クーポン情報など）や、その他のアプリケーション機能によって動作中のゲームソフト、ユーティリティプログラム等に関する情報（タイトル、各種のＵＲＬ）等を意味する。
【００４７】
この場合、広告媒介移動端末において音楽を再生し、或いは、ゲームソフト等を動作させる度に、その再生中又は動作中のソフトに関する「プレイング情報」が、その広告媒介移動端末によって自動的に（必要があればコンピュータネットワークに接続することにより）取得され、その広告媒介移動端末のメモリの所定の領域に自動的に記憶され、他の広告媒介移動端末に向けて発信されるように構成することが好ましく、これにより、ある広告媒介移動端末のユーザーがイヤホン等によってその時に聴いている音楽に関する情報等を、そのユーザーとは面識がない他の広告媒介移動端末のユーザーに対して提供することができ、しかも、面倒な入力作業等を行うことなく円滑に実現することができる。
【００４８】
また、「プレイング情報」は、「広告アクセス情報」の一部として送受信されるのではなく、「広告アクセス情報」の替わりに、即ち、「プレイング情報」のみが「発信者識別情報」とともに送受信されるように構成することもできる。